(57)【要約】  本発明は、ポンプタイプのコンパクト容器に関し、ユーザーがボタン部を加圧すると前記ボタン部が下方向へ窪み、加圧を解除すると前記ボタン部自体の弾性力によって復元し、容器本体内部の圧力を変化させ、内容物を排出するように構成されることにより、他の追加のポンピング部材がなくても、簡単な構造によって高粘度の内容物を容易に排出することができる、ポンプタイプのコンパクト容器を提供する。このようなポンプタイプのコンパクト容器は、組立時間の短縮はもちろん、製造コストも節減することができる。【選択図】  図５
2017532108.tif 000002
【特許請求の範囲】
【請求項１】
リフィル用容器（１００）と、
前記リフィル用容器（１００）を内側に交換可能に収容する下部コンパクトケース（２００）と、
前記下部コンパクトケース（２００）に開閉可能に結合されるコンパクトカバー（３００）と、を有し、
前記リフィル用容器（１００）は、
内容物を収容し、内容物の使用によって容積が減る容器本体（１１０）と、
前記容器本体（１１０）の上部に結合され、ユーザーの加圧により弾性変形し、ポンピングによって、前記容器本体（１１０）に収容された内容物を排出させるポンピングガイドキャップ（１２０）と、
前記容器本体（１１０）の内側で、前記ポンピングガイドキャップ（１２０）の下部に結合されて、内容物が貯蔵される空間を形成し、前記ポンピングガイドキャップ（１２０）の前記弾性変形により、前記容器本体（１１０）に収容された内容物を一定量吸入する内容物吸入部（１３０）と、を有する
ことを特徴とする、ポンプタイプのコンパクト容器。
【請求項２】
前記ポンピングガイドキャップ（１２０）は、前記ポンピングガイドキャップ（１２０）の上面の一方の側に位置し、ユーザーの加圧によって下方へ窪み、加圧が解除されると復元し、前記ポンピングガイドキャップ（１２０）と前記内容物吸入部（１３０）とが形成する空間の圧力を変化させ、ポンピング作動をガイドする弾性材質のボタン部（１２２）を有する、
ことを特徴とする、請求項１に記載の、ポンプタイプのコンパクト容器。
【請求項３】
前記ポンピングガイドキャップ（１２０）は、
前記ポンピングガイドキャップ（１２０）の上面の他方の側に位置し、前記ボタン部（１２２）の操作により内容物を排出させる内容物排出ホール（１２３）をさらに有する
ことを特徴とする、請求項２に記載の、ポンプタイプのコンパクト容器。
【請求項４】
前記内容物排出ホール（１２３）は、前記ボタン部（１２２）への加圧有無によって、前記内容物排出ホール（１２３）を開閉する第１バルブ部材（１２４）を具備する
ことを特徴とする、請求項３に記載の、ポンプタイプのコンパクト容器。
【請求項５】
前記内容物吸入部（１３０）には、前記容器本体（１１０）に貯蔵された内容物が流入するように内容物流入ホール（１３１）が形成され、前記内容物流入ホール（１３１）は、前記ボタン部（１２２）の加圧有無によって、前記内容物流入ホール（１３１）を開閉する第２バルブ部材（１３２）を具備する
ことを特徴とする、請求項２に記載の、ポンプタイプのコンパクト容器。
【請求項６】
前記リフィル用容器（１００）は、
前記ポンピングガイドキャップ（１２０）の一端に開閉可能に結合され、かつ、
パフ（Ｐ）を収納することができるパフ定置部（１４１）が上面に形成されたリフィル容器カバー（１４０）をさらに有する
ことを特徴とする、請求項１に記載の、ポンプタイプのコンパクト容器。
【発明の詳細な説明】
【技術分野】
【０００１】
本発明は、ポンプタイプのコンパクト容器に関し、より詳細には、内容物を収容し、内容物の使用によって容積が減る容器本体１１０と、容器本体１１０の上部に結合され、ユーザーの加圧によって弾性変形され、ポンピングにより容器本体１１０に収容された内容物を排出するポンピングガイドキャップ１２０と、容器本体１１０の内側でポンピングガイドキャップ１２０の下部に結合されて内容物を貯蔵する空間を形成し、ポンピングガイドキャップ１２０の弾性変形により容器本体１１０に収容された内容物を一定量吸入する内容物吸入部１３０と、を有するリフィル用容器１００と、リフィル用容器１００を内側に交換可能に収容する下部コンパクトケース２００と、下部コンパクトケース２００に開閉可能に結合されるコンパクトカバー３００と、を有することを特徴とする、ポンプタイプのコンパクト容器に関する。
【背景技術】
【０００２】
一般に、高粘度のクリームを貯蔵するクリームタイプの化粧品容器は、化粧品容器に収容される内容物と空気の接触を遮断するように構成される。このような構成の真空タイプの化粧品容器が、本出願人が出願して登録された大韓民国実用新案登録第２０−０３１１５０３号公報（以降、特許文献１と呼ぶ）に開示されている。
【０００３】
特許文献１の化粧品容器は、内容物が貯蔵される容器部１０と、容器部１０の上部に結合されるディスペンサ１００とを有し、ディスペンサ１００は、下端に吸入孔２２が形成され、容器部１０の上部に結合されるシリンダ２０と、シリンダ２０の吸入孔２２に具備されるバルブ体３０と、容器部１０の上部をカバーするように上方に拡張されたプレート部４２を具備し、反復的なポンピングが可能なようにシリンダ２０に具備されるボタン４０と、シリンダ２０の内壁面とボタン４０の下端部の間に具備されるピストン５０と、を有するディスペンス容器において、ボタン４０の中央部には上下方向にスライド孔４４が形成され、バルブ体３０は、上端部が上方へ延在し、ボタン４０のスライド孔４４にスライド可能に挿入され、バルブ体３０の上部には、ボタン４０のスライド孔４４をカバーするカバー部材６０が結合され、ボタン４０を押すと、ボタン４０がバルブ体３０の外周面に沿って下降し、カバー部材６０とボタン４０の間にギャップができ、このギャップを介して内容物が排出され、ボタン４０のプレート部４２に蓄積されることを特徴とする。
【０００４】
しかし、特許文献１のような構成の化粧品容器は、容器部１０に貯蔵された内容物の排出のために、吸入孔２２が形成されたシリンダ２０を有するディスペンサ１００を、容器部１０の上部下端に結合して、複雑な構造のディスペンサ１００を介してポンピングを行う構造であり、ディスペンサ１００を設置するための組立時間の増加はもちろん、製造コストが増加するという問題があった。
【０００５】
一方、コンパクト（ｃｏｍｐａｃｔ）と通称される化粧品容器の場合、通常、化粧のベース（ｂａｓｅ）となるパウダータイプの化粧品を固形化させた後、パフ（ｐｕｆｆ）を利用して、ユーザーの肌に塗布していたが、最近になって、所定の粘度を有する液状のベース化粧品（一般的に「ＢＢクリーム」と呼ばれる）の使用が徐々に増加している。しかし、このような液状のベース化粧品の場合、チューブ等の貯蔵容器に貯蔵した内容物を絞り出して、パフに移した後に使用しなければならないので、既存のパウダータイプのコンパクトに比べて非常に不便であるという問題があった。
【先行技術文献】
【特許文献】
【０００６】
【特許文献１】大韓民国登録実用新案第２０−０３１１５０３号公報
【発明の概要】
【発明が解決しようとする課題】
【０００７】
本発明は、上述した問題点を解決するために創作されたもので、本発明の目的は、液状のベース化粧品を、既存のコンパクトと同様に、パフに移して簡便に使用することができるポンプタイプのコンパクト容器を提供することである。
【０００８】
また、本発明の別の目的は、ユーザーがボタン部を加圧するとボタン部が下方向へ窪み、ボタン部自体の弾性力によって復元し、容器本体内部の圧力を変化させて、内容物を排出するように構成することにより、別途のポンピング部材がなくても、簡単な構造によって、高粘度の内容物を容易に排出することができるので、組立時間の短縮はもちろん、製造コストを節減することができるポンプタイプのコンパクト容器を提供することである。
【０００９】
また、本発明のさらに別の目的は、ポンピングガイドキャップと内容物吸入部が形成する空間へ、内容物吸入部を介して一定量の内容物を吸入して貯蔵することで、一回のポンピングごとに、常に一定量の内容物を排出することが可能なポンプタイプのコンパクト容器を提供することである。
【００１０】
また、本発明のさらに別の目的は、内容物のリフィルが簡単にできるポンプタイプのコンパクト容器を提供することである。
【課題を解決するための手段】
【００１１】
上記のような問題点を解決するために、本発明に係るポンプタイプのコンパクト容器は、リフィル用容器１００と、リフィル用容器１００を内側に交換可能に収容する下部コンパクトケース２００と、下部コンパクトケース２００に開閉可能に結合されるコンパクトカバー３００とを有し、リフィル用容器１００は、内容物を収容し、内容物の使用によって容積が減る容器本体１１０と、容器本体１１０の上部に結合され、ユーザーの加圧によって弾性変形され、ポンピングにより容器本体１１０に収容された内容物を排出させるポンピングガイドキャップ１２０と、容器本体１１０の内側でポンピングガイドキャップ１２０の下部に結合されて内容物を貯蔵する空間を形成し、ポンピングガイドキャップ１２０の前記弾性変形により容器本体１１０に収容された内容物を一定量吸入する内容物吸入部１３０と、を有することを特徴とする。
【００１２】
また、ポンピングガイドキャップ１２０は、ポンピングガイドキャップ１２０の上面の一方の側に位置し、ユーザーの加圧によって下方向へ移動してから復元し、ポンピングガイドキャップ１２０と内容物吸入部１３０とで形成される空間の圧力を変化させて、ポンピングをガイドする弾性材質のボタン部１２２を有することを特徴とする。
【００１３】
また、ポンピングガイドキャップ１２０は、ポンピングガイドキャップ１２０の上面の他方の側に位置し、ボタン部１２２の操作により内容物を排出する内容物排出ホール１２３をさらに有することを特徴とする。
【００１４】
また、内容物排出ホール１２３は、ボタン部１２２の加圧有無によって内容物排出ホール１２３を開閉する第１バルブ部材１２４を具備することを特徴とする。
【００１５】
また、内容物吸入部１３０には、容器本体１１０に貯蔵された内容物が流入するように内容物流入ホール１３１が形成され、内容物流入ホール１３１は、ボタン部１２２の加圧有無によって、内容物流入ホール１３１を開閉する第２バルブ部材１３２を具備することを特徴とする。
【００１６】
また、リフィル用容器１００は、ポンピングガイドキャップ１２０の一端に開閉可能に結合され、パフＰを収納することができるパフ定置部１４１が上面に形成されているリフィル容器カバー１４０をさらに有することを特徴とする。
【発明の効果】
【００１７】
以上、本発明によれば、液状のベース化粧品を、既存のコンパクトと同様に、パフに移して簡便に使用することができるという長所がある。
【００１８】
また、ユーザーがボタン部を加圧するとボタン部が下方向へ窪み、その後にボタン部自体の弾性力によって復元し、容器本体内部の圧力を変化させ、内容物を排出するように構成することにより、別途のポンピング部材がなくても、簡単な構造によって、高粘度の内容物を容易に排出することができるので、組立時間の短縮はもちろん、製造コストを節減できるという長所がある。
【００１９】
また、内容物吸入部を介してポンピングガイドキャップと内容物吸入部が形成する空間へ一定量の内容物を吸入して貯蔵することにより、一回のポンピングごとに、常に一定量の内容物を排出することができ、内容物のリフィルが簡便に行えるという長所がある。
【図面の簡単な説明】
【００２０】
【図１】本発明の好ましい実施形態に係る、ポンプタイプのコンパクト容器の構成を示す分解斜視図である。
【図２】本発明の好ましい実施形態に係る、ポンプタイプのコンパクト容器の構成を示す組立斜視図である。
【図３】本発明の好ましい実施形態に係る、ポンプタイプのコンパクト容器の構成を示す組立断面図である。
【図４】本発明の好ましい実施形態に係る、ポンプタイプのコンパクト容器の構成を示す他の角度からの組立断面図である。
【図５】図５（ａ）、（ｂ）は、本発明の好ましい実施形態に係る、ポンプタイプのコンパクト容器の作動状態を示す状態図である。
【図６】本発明の好ましい実施形態に係る、ポンプタイプのコンパクト容器のリフィル状態を示す斜視図である。
【発明を実施するための形態】
【００２１】
以下、図面を参照し、本発明を詳細に説明する。各図面に表示した同一の参照符号は同一の部材を示す。
【００２２】
図１〜３を参照すると、本発明の好ましい実施形態に係るポンプタイプのコンパクト容器は、大きく分けて、リフィル用容器１００、下部コンパクトケース２００、コンパクトカバー３００を有する。
【００２３】
まず、リフィル用容器１００について説明する。リフィル用容器１００は、図１および図６に示すように、容器本体１１０、ポンピングガイドキャップ１２０、内容物吸入部１３０を有する。
【００２４】
容器本体１１０は、内容物を収容するもので、内容物の使用と共に容積が減少するように構成される。このように、容器本体１１０が内容物の使用と共に容積が減少するように構成された実施形態としては、弾性チューブ構造、鞘管（さや管）構造など、様々な実施形態が可能であり、その一実施例として、容器本体１１０は、その内部に内容物の使用によって上昇するピストン１１１を具備することができる。この場合、容器本体１１０の下端部には、後述するポンピングガイドキャップ１２０の操作によるポンピングにより、ピストン１１１の上昇時に容器本体１１０の内部へ空気が流入するように空気流入ホール１１２を形成することが好ましい。
【００２５】
ポンピングガイドキャップ１２０は、容器本体１１０の上部に結合され、容器本体１１０の上部開口部を閉栓する機能を有する。
【００２６】
一方、ポンピングガイドキャップ１２０の上面の一方の側には、ユーザーの加圧によって弾性変形され、後述する内容物吸入部１３０とポンピングガイドキャップ１２０とで形成される空間Ｃの圧力を変化させ、内容物吸入部１３０に吸入された内容物を外部へ排出させるボタン部１２２を具備することが、本実施形態の特徴である。ボタン部１２２は、ユーザーが上端部を加圧する時に、ボタン部１２２の上面全体が下方向へ窪み、ユーザーが加圧を解除すると復元して、内容物吸入部１３０とポンピングガイドキャップ１２０が形成する空間Ｃの圧力を変化させることで、ポンピングをガイドすることができる。ボタン部１２２は、ユーザーの加圧によって弾性変形することができるように弾性材質で形成される。
【００２７】
一方、ポンピングガイドキャップ１２０の上面の他方の側には、ボタン部１２２の操作によるポンピングによって内容物が排出されるように内容物排出ホール１２３が形成される。内容物排出ホール１２３には、ボタン部１２２の加圧有無によって、内容物排出ホール１２３を開閉する第１バルブ部材１２４が設けられる。
【００２８】
内容物吸入部１３０は、容器本体１１０の内側におかれ、ポンピングガイドキャップ１２０の下部に結合される。内容物吸入部１３０は、ポンピングガイドキャップ１２０のボタン部１２２の弾性変形により、容器本体１１０に貯蔵された内容物を一定量吸入して貯蔵することができるように、ポンピングガイドキャップ１２０の下部に、ポンピングガイドキャップ１２０と所定の間隔だけ離間して結合され、内容物を貯蔵する空間Ｃを形成する。
【００２９】
また、内容物吸入部１３０には、容器本体１１０に貯蔵された内容物が流入することができるように内容物流入ホール１３１が形成される。内容物流入ホール１３１には、ボタン部１２２の加圧有無によって内容物流入ホール１３１を開閉する第２バルブ部材１３２が設けられる。
【００３０】
内容物吸入部１３０は、容器本体１１０に収容される内容物を一定量吸入し貯蔵することで、ボタン部１２２の操作によるポンピング時に、常に一定量の内容物を排出できるようにガイドされる。この場合、ポンピングガイドキャップ１２０と内容物吸入部１３０との間の空間Ｃで、前記内容物が円滑に移動することができるように、内容物吸入部１３０には、図１および図３に示すような円形の陥没溝１３３を形成することが好ましい。
【００３１】
一方、リフィル用容器１００は、図１および図２に示すように、ポンピングガイドキャップ１２０の一端に開閉可能に結合され、パフＰを収納することができるパフ定置部１４１が上面に形成されたリフィル容器カバー１４０をさらに有し、パフＰを簡便に収納すると同時に、ポンピングガイドキャップ１２０の上部を密封できるようにすることが好ましい。また、リフィル容器カバー１４０は、ボタン部１２２の誤作動を防止し、第１バルブ部材１２４が、外部の衝撃で破損することを防止する。この場合、リフィル容器カバー１４０を、ポンピングガイドキャップ１２０の一端に開閉可能に結合する実施形態としては、非常に様々な形態が可能であるが、一実施形態としては、図１および図２に示すように、リフィル容器ヒンジ部１２５とリフィル容器カバーヒンジ部１４２を用いたヒンジ結合によって構成することができる。
【００３２】
前述した構成のリフィル用容器１００は、図７に示すように、下部コンパクトケース２００に交換可能に結合され、内容物をすべて使った場合、極めて容易に交換することができる。
【００３３】
次に、下部コンパクトケース２００について説明する。下部コンパクトケース２００は、図１および図６に示すように、リフィル用容器１００を内側に交換可能に収容し、本発明の外部容器の働きをする。この場合、下部コンパクトケース２００は、通常、金型を用いた射出成形で製作する工程の簡便化のために、内側に内部下部ケース２１０を結合する形態で製作することもできる。
【００３４】
次に、コンパクトカバー３００について説明する。コンパクトカバー３００は、図１に示すように、下部コンパクトケース２００に開閉可能に結合され、リフィル用容器１００の上部を被覆する。この場合、コンパクトカバー３００を下部コンパクトケース２００に開閉可能に結合する実施形態としては、非常に様々な形態が可能であるが、その一実施形態としては、図１および図２に示すように、ケースヒンジ部２０１とカバーヒンジ部３１０を用いたヒンジ結合の形態がある。一方、この場合、コンパクトカバー３００が下部コンパクトケース２００を堅固に閉蓋できるように、コンパクトカバー３００にはカバー固定部３２０がさらに形成され、下部コンパクトケース２００には固定結合部２１１がさらに形成されて、図３に示すように、カバー固定部３２０が固定結合部２１１に係合することができるようにすることが好ましい。
【００３５】
また、使用時の利便性のために、コンパクトカバー３００の内側には、図２に示すように鏡３３０がさらに設けられることが好ましい。
【００３６】
一方、コンパクトカバー３００が、ヒンジ構造によって下部コンパクトケース２００に開閉可能に結合され、リフィル容器カバー１４０が、ヒンジ構造によってポンピングガイドキャップ１２０の一端に開閉可能に結合される場合、それぞれの前記ヒンジ構造は、図２に示すように約９０度の角度を空けて形成し、互いに干渉しないで使用することができるようにすることが好ましい。
【００３７】
以下、図５を参照して、本発明の好ましい実施携帯に係るポンプタイプコンパクト容器の動作を説明する。図５は本発明の好ましい実施例に係るポンプタイプのコンパクト容器の作動状態を示す状態図である。
【００３８】
図５を参照すると、本発明の好ましい実施例に係るポンプタイプのコンパクト容器では、ユーザーがポンピングガイドキャップ１２０の一方の側に形成されたボタン部１２２を加圧すると、弾性材質で構成されたボタン部１２２が下方向へ窪む。これにより、ポンピングガイドキャップ１２０と内容物吸入部１３０が形成する空間Ｃに発生する圧力によって、ポンピングガイドキャップ１２０と内容物吸入部１３０が形成する空間Ｃに貯蔵された内容物が、ポンピングガイドキャップ１２０の他方の側に形成された内容物排出ホール１２３を通って、ポンピングガイドキャップ１２０の上面へ排出される。この時、内容物排出ホール１２３を閉栓している第１バルブ部材１２４は、内容物の圧力によって内容物排出ホール１２３を開栓し、第２バルブ部材１３２は、内容物流入ホール１３１を閉栓し、内容物吸入部１３０に吸入された内容物が、内容物排出ホール１２３から排出される。
【００３９】
一方、ユーザーがボタン部１２２の加圧を解除すると、ボタン部１２２が自身の弾性力によって復元し、上方へ移動する。これにより、ポンピングガイドキャップ１２０と内容物吸入部１３０が形成する空間Ｃに発生する圧力によって容器本体１１０に収容された内容物が内容物吸入部１３０に流入する。この時、第１バルブ部材１２４は内容物排出ホール１２３を閉栓し、第２バルブ部材１３２は内容物流入ホール１３１を開栓し、次のポンピング時に排出可能な一定量の内容物が内容物流入ホール１３１を通って内容物吸入部１３０に流入する。
【００４０】
上述のように、本発明は、ポンピングガイドキャップ１２０と内容物吸入部１３０が形成する空間に一定量の内容物を貯蔵するように構成することにより、ボタン部１２２の操作によるポンピング時に、常に一定量の内容物を排出することができる。
【００４１】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施形態が可能であることを理解できるであろう。また、本発明の真の技術的保護範囲は、添付された特許請求の範囲の技術的思想によって定められる。
【図１】
2017532108.tif 000003
【図２】
2017532108.tif 000004
【図３】
2017532108.tif 000005
【図４】
2017532108.tif 000006
【図５】
2017532108.tif 000007
【図６】
2017532108.tif 000008
【国際調査報告】
2017532108.tif 000009
2017532108.tif 000010
2017532108.tif 000011
2017532108.tif 000012